(57)【特許請求の範囲】
【請求項１】
ケース天面を形成する汁受け皿の下方に、左端部に多数の通気孔を有する垂下片を有し中心部に窓を有する第１遮熱板を、汁受け皿と上下に間隙を置きその右端部をケース天面に固定して設け、該第1遮熱板の下方に第1遮熱板と間隔を置いて平板状の第２遮熱板を設け、
ケース天面を形成する汁受け皿とケース底面との間に、第1遮熱板と、第２遮熱板とを設けたことを特徴とする、カセットコンロの底面遮熱装置
【発明の詳細な説明】
【０００１】
【発明の属する技術分野】
本願発明は、カセットボンベを熱源とするカセットコンロに関するものである。
【０００２】
【従来の技術】
カセットコンロは、カセットガスボンベを熱源とし携帯コンロとして野外用調理コンロに広く使用されているが、最近、卓上コンロとして室内での調理にも使用される傾向にある。
【０００３】
【発明が解決しようとする課題】
本願発明は、カセットコンロを、室内での調理に際し卓上コンロとして食卓テーブル上に置いて使用した場合に、食卓テーブル面の温度上昇を防ぐべく、コンロの底面方向の遮熱性を高めることを課題とする。
【０００４】
【課題を解決するための手段】
本願発明は、ケース天面を形成する汁受け皿の下方に、左端部に多数の通気孔を有する垂下片を有し中心部に窓を有する第１遮熱板を、汁受け皿と上下に間隙を置きその右端部をケース天面に固定して設け、該第1遮熱板の下方に第1遮熱板と間隔を置いて平板状の第２遮熱板を設けることにより、ケース天面を形成する汁受け皿とケース底面との間に、第1遮熱板と、第２遮熱板とを設けたことを特徴とする。
【０００５】
【実施例】
以下図面に示す実施例にもとづいて、本願発明を詳細に説明する。
本発明の説明に先だって図１ないし図３を参照してカセットコンロを説明する。
図1を参照して、調理面を形成する汁受け皿２の中央部にバーナーヘッド９ａを露出させ、前面側部に器具栓つまみ3を設け、底面より脚台４を突出している。
汁受け皿２はケース上端片1ａにより支持されている。汁受け皿２には五徳2ａが設けられている。
【０００６】
図２および図３を参照して、コンロケース1の内部は、隔壁６により燃焼室Ａとボンベ室Ｂとに二分され、燃焼室Ａにはバーナー９が装備され、ボンベ室Ｂにはカセットボンベ７がセット自在に構成されている。バーナー９のガス供給筒9ｂとカセットボンベ７とはガス供給制御装置８を介して接続されている。即ち、バーナー９の下方延長部分である燃焼ガス導入筒9ｂにガス供給制御装置８よりのガス供給管８ａの先端が対向している。前記ガス供給制御装置８は器具栓つまみ３により、カセットボンベ７のガス栓の開閉およびガス供給管８ａへのガス供給を調整自在とする。５はケースカバー1ｂに設けた通気孔である。隔壁６には通気孔6ａおよび切欠部6ｂが形成されている。
【０００７】
燃焼ガス導入筒9ｂには、ガス供給管８ａより供給されるカセットボンベ７内の燃料ガスに、通気孔５および通気孔６ａを通じて供給された空気とが、混合されて供給されることは、公知のカセットコンロと同様である。
【０００８】
以下、図４ないし図12を参照して本願発明を説明する。
本願発明は上記構成の公知のカセットコンロの燃焼室Ａにおける底面方向の断熱構造に関するものであり、ケース内に、汁受け皿２と対向する第１遮熱板10を、その下方に前記第１遮熱板10と対向する第２遮熱板２０を設けて、底面遮熱構造を構成する。
【０００９】
第１遮熱板１０は、図９を参照して、平板の一側を下方へ折曲げ垂下片１１を形成し該垂下片１１には多数の通気孔１２を形成し、平板中心部にバーナー貫通用の窓１３を形成し、ボンベ室寄りの側端部１４はケース天面1ａに固定している。右側側の垂下片１１の延長固定片１５は第２遮蔽板２０の左端部２４に固定されている。窓13によりバーナー９の周縁には空間が形成されている。
【００１０】
第２遮熱板２０は、図10を参照して、ほぼ平板形状とし、中央部にバーナー取付板９ｂを貫通するための一対の穴２１が形成され、前後端縁を下方へ折曲げて垂下片２２を形成し、更に、その一部に脚部２３を形成している。脚部23は、ケース1の下端延長折曲片（ケース底面）1ｃに固定支持されている。
【００１１】
第１遮熱板１０は上方の汁受け皿２との間で第1遮熱空間Ｈ1を形成し、下方の第２遮熱板２０との間で第２遮熱空間H２を形成する。第２遮熱板２０とケース底面1ｃとの間で第３空間H３を形成する。
【００１２】
第1遮熱空間H１は、ボンベ室Ｂ側は第１遮熱板２０の傾斜面１６および側端部１４で封止され、中央部はバーナー２の周囲で上方に開口するとともに、左側を開口し左端部空間Ｈ4に通じている。
【００１３】
第１遮熱板１０と第２遮熱板２０との間に形成される第２遮熱空間H２は、左側部は第１遮熱板10の通気孔１２を介して左端部空間H４と連通している。右側部は開口して隔壁６の切欠部6ｂおよび通気孔6ａを介してボンベ室Ｂを経てケースカバー1ｂの右側面の通気孔５に連通している。また、中央部ではバーナー２の周囲で第１遮熱空間H１に開口している。
【００１４】
第３遮熱空間H３は、上方は第２遮熱板２０により前後方向は第２遮熱板２０の垂下片２２および脚部２３により封止され、下方にはケース底面1ｃにより封止されている。また、左端部空間Ｈ4を介して第１遮熱空間Ｈ1と通じている。
【００１５】
燃焼室Ａの前面側および背面側に形成された前端部空間Ｈ５および後端部空間Ｈ６は、第２遮熱板２０の垂下片２２および脚部２３により第３遮熱空間Ｈ３とは封止されているが第１遮熱空間Ｈ1、第２遮熱空間Ｈ２、左端部空間Ｈ4と連続している。
【００１６】
かくして、ケース底面板1ｃと汁受け皿２（ケース天面）との間には、第１遮熱板１０および第２遮熱板２０の遮熱構造が形成され、熱伝導および輻射熱よるコンロ底面下方への過熱を阻止する。
また、第１遮熱空間Ｈ1、第2遮熱空間および第３遮熱空間Ｈ３は、直接には相互に連通しないが、左端部空間Ｈ４、前端部空間Ｈ５、後端部空間Ｈ６を介して連通していることで、ケースの通気孔からの空気の流入流出による冷却空気の通過を可能としている。
【００１７】
【発明の効果】
本願発明は、天面と底面との間に、第１遮熱空間、第2遮熱空間および第３遮熱空間を形成したことにより、コンロ底面への輻射熱による加熱に起因する温度上昇を防ぎ、コンロ底面下方の卓上テーブルの過熱を阻止することができて、カセットコンロを室内利用の調理器として使用を可能とする効果を有する。
【図面の簡単な説明】
【図１】カセットコンロの平面図。
【図２】同じく正面図。
【図３】同じく側面図。
【図４】本願発明の大要を示す縦断面図で、平面視長手方向に縦断面して示す。
【図５】第４図のＳ１−Ｓ１線縦断面図。
【図６】第４図のＳ２−Ｓ２線縦断面図。
【図７】第４図のＳ３−Ｓ３線縦断面図。
【図８】第４図のＳ４−Ｓ４線縦断面図。
【図９】第１遮熱板を示し、ａ図は平面図、ｂ図は平面図横方向の縦断面図、ｃ図は左側面図。
【図１０】第２遮熱板を示し、ａ図は平面図、ｂ図は正面図、ｃ図はａ図のＳ５−Ｓ５線縦断面図。
【図１１】図４同様の縦断面図で、遮熱空間Ｈ1、Ｈ２、Ｈ３、Ｈ４の位置関係を示す。
【符号の説明】
１    コンロケース
1ｃ  ケース底面
２    汁受け皿
４    脚台
１０    第１遮熱板
１１    垂下片
１２    通気孔
２０    第２遮熱板
Ｈ１    第1遮熱空間
Ｈ２    第２遮熱空間
H３    第３遮熱空間
H４    左端部空間
Ｈ５    前端部空間
Ｈ６    後端部空間
【図１】
0003851984.tif 000002
【図２】
0003851984.tif 000003
【図３】
0003851984.tif 000004
【図４】
0003851984.tif 000005
【図５】
0003851984.tif 000006
【図６】
0003851984.tif 000007
【図７】
0003851984.tif 000008
【図８】
0003851984.tif 000009
【図９】
0003851984.tif 000010
【図１０】
0003851984.tif 000011
【図１１】
0003851984.tif 000012